(57)【要約】      （修正有）【課題】堅固さ、明晰さ及び立体感を備え、美しさを強化した立体装飾図案を備えたゴルフクラブのグリップ及びその成型金型を提供する。【解決手段】立体装飾図案を備えたゴルフクラブのグリップは本体１と装飾片２を備え、本体１外表面には装飾片２の部位に対応して凹槽を設置し、装飾片２は一次硫化を経た片材で、二次硫化により、装飾片２を本体１の凹槽中に嵌めて固定し、しかも装飾片２の辺縁と凹槽の周辺とは均一な溝を形成し、立体装飾図案を備えたゴルフクラブのグリップの成型金型は外金型５と芯棒６により組成し、外金型５の内表面には本体１外表面の装飾片２を固定する部位に対応して、溝形成に用いる封鎖リブ５１を設置し、リブ５１が封鎖する区域内は大きさと形状が装飾片２に相当する収容設置槽５２で、収容設置槽５２中に入れた装飾片２、リブ５１封鎖区域の外の外金型５内表面と芯棒６との間には、本体１のキャビティ５３を構成する。【選択図】図５
0003155820.tif 000002
【実用新案登録請求の範囲】
【請求項１】
本体と、装飾片と、を備えた立体装飾図案を備えたゴルフクラブのグリップであって、
前記本体外表面には、前記装飾片の部位に対応して、凹槽を設置し、
前記装飾片は一次硫化を経た片材であり、二次硫化により、前記装飾片を前記本体の凹槽中に嵌めて固定し、しかも、前記装飾片の辺縁と前記凹槽の周辺とは、均一な溝を形成することを特徴とする、立体装飾図案を備えたゴルフクラブのグリップ。
【請求項２】
請求項１に記載の立体装飾図案を備えたゴルフクラブのグリップの成型金型であって、
前記成型金型は、外金型と芯棒により組成し、
前記外金型の内表面には、本体外表面の装飾片を固定する部位に対応して、溝形成に用いる封鎖リブを設置し、前記封鎖リブが封鎖する区域内は、大きさと形状が前記装飾片に相当する収容設置槽であり、
前記収容設置槽中に入れた前記装飾片と、前記リブ封鎖区域の外の外金型内表面と、前記芯棒との間には、前記本体のキャビティを構成することを特徴とする、立体装飾図案を備えたゴルフクラブのグリップの成型金型。
【考案の詳細な説明】
【技術分野】
【０００１】
本考案は立体装飾図案を備えたゴルフクラブのグリップ及びその成型金型に係り、特に明晰で、高い質感を呈する立体装飾図案を備えたゴルフクラブのグリップ及び該グリップの成型に用いる金型に関する。
【背景技術】
【０００２】
華やかで質感に富んだ装飾図案（商標など）は、製品外観に対して一定の装飾作用を備える他、当該会社の製品の品質とサービスに対して、積極的な宣伝効果を備える。しかし、装飾図案、特に多種の色彩を備える装飾図案は、どのような方式により製品と結合するかによって、効果の程度と持続期間が決まってしまうため、メーカー側にとって方式の選択は重要である。
【０００３】
ゴルフクラブのグリップ設計における伝統的な方式は装飾図案を、陰刻或いは浮き彫りにより金型上に刻み、グリップ本体と一体成型し、或いはグリップ本体成型後に、装飾片をグリップ上に粘着させるものである。しかし、上記した方式では顧客に対して展示する際の質感が弱く、しかも繰り返し使用した後には、該装飾片は磨損或いは脱落してしまう。
【０００４】
別種の方式は、グリップ加工時に、先ず装飾図案を片材から直接切り出し、該片材に金型、芯棒を通して一次加硫して成型するもので、こうすることで、装飾片をグリップ上に堅固に付着させることができる。これにより、装飾片が磨損し易く、脱落し易いという問題を解決することはできるが、片材は硫化過程において流動し易く、異なる色の片材が境界位置で混合し、原料流出現象が起き易い。これにより、成型後の装飾片の境界が不明確となり、品質と美観に直接的な悪影響を及ぼしてしまう。
【０００５】
特許文献が提示する「ゴルフクラブの装飾性グリップ」は、ゴルフクラブの装飾性グリップを掲示する。それは、本体と装飾片により加工するもので、本体は、先端片材と二つに分かれた管片材を一次加硫して成型し、本体上のグリップに対応する装飾図案は、装飾片の凹槽にちょうど収容される。これにより凹槽中に入った装飾辺の辺縁は、凹槽の辺縁とちょうど一致し、二次加硫成型により、装飾片は凹槽中に固定される。この構造では、完成したグリップの装飾図案の境界ははっきりし、製品の品質を向上させることができる。
【０００６】
しかし、上記した構造は、平面状の装飾図構造にしか適用されず、立体装飾図案を備えたゴルフクラブのグリップは未だ見られない。
【０００７】
本考案は、従来のゴルフクラブのグリップの装飾図案の上記した欠点に鑑み、装飾片が磨損し易く、脱落し易いという問題を解決し、成型後の装飾片の境界を明晰にし、立体感を強め、同時に質感を高めることができる。
【先行技術文献】
【特許文献】
【０００８】
【特許文献１】中華人民共和国特許第ＣＮ２００９９５０４０Ｙ号公報
【考案の概要】
【考案が解決しようとする課題】
【０００９】
本考案が解決しようとする第一の課題は、明晰で、高い質感を呈する立体装飾図案を備えたゴルフクラブのグリップを提供することである。
【００１０】
本考案が解決しようとする第二の課題は、明晰で、高い質感を呈する立体装飾図案を備えたゴルフクラブのグリップの成型金型を提供することである。
【課題を解決するための手段】
【００１１】
上記課題を解決するため、本考案は下記の立体装飾図案を備えたゴルフクラブのグリップ及びその成型金型を提供する。立体装飾図案を備えたゴルフクラブのグリップは、本体と装飾片を備え、該本体外表面には、該装飾片の部位に対応して、凹槽を設置し、該装飾片は一次硫化を経た片材で、二次硫化により、該装飾片を該本体の凹槽中に嵌めて固定し、しかも、該装飾片の辺縁と該凹槽の周辺とは、均一な溝を形成し、該本体外表面の凹槽は、該本体の太い部分上に設置し、該本体は、先端片材と２組の管型片材により組成し、該装飾片と該先端片材、該管型片材とは、外金型と芯棒により、二次硫化して一体に結合し、該装飾片は硫化により、該本体凹槽に嵌めて固定され、連接は堅固で、磨損及び脱落し難く、しかも、必要に応じて色が異なる多種の装飾片を選択可能で、該装飾片の周辺には、均一な溝を設置するため、装飾図案の境界は明晰となり、立体感と高い質感を呈する。立体装飾図案を備えたゴルフクラブのグリップの成型金型は、外金型と芯棒により組成し、該外金型の内表面には、本体外表面の装飾片を固定する部位に対応して、溝形成に用いる封鎖リブを設置し、該リブが封鎖する区域内は、大きさと形状が装飾片に相当する収容設置槽で、該収容設置槽中に入れた装飾片、該リブ封鎖区域の外の外金型内表面と該芯棒との間には、本体のキャビティを構成し、該外金型内表面の収容設置槽の深さと装飾片の厚みは相同で、該外金型は、上金型と下金型により組成し、該外金型の内表面にリブを設置するため、装飾片の定位に便利で、本体凹槽中における装飾片の位置偏移を回避することができ、二次硫化成型時に、原料の流動を防止することができ、原料流出により図案が不明晰となり、質感が落ちることを避けられ、本体装飾図案周辺には均一な溝を形成するため、できあがった装飾図案は立体感を備え、美しさがいっそう際立つ。
【考案の効果】
【００１２】
本考案立体装飾図案を備えたゴルフクラブのグリップ及びその成型金型により、装飾図案と本体との連接は堅固となり、磨損及び脱落し難くなり、しかも境界は明晰で、立体感を備え、美しさを強化することができる。
【図面の簡単な説明】
【００１３】
【図１】本考案構造の外観図である。
【図２】本考案構造の断面図である。
【図３】本考案金型の構造模式図である。
【図４】図３の局部拡大図である。
【図５】本考案金型により本考案グリップを成型する様子を示す模式図である。
【考案を実施するための形態】
【００１４】
以下に図面を参照しながら本考案を実施するための最良の形態について詳細に説明する。
【００１５】
図１、２に示すように、本考案立体装飾図案を備えたゴルフクラブのグリップは、本体１と装飾片２を備える。本体１外表面には、装飾片２の部位に対応して、凹槽３を設置する。装飾片２は、一次硫化を経た片材である。装飾片２を本体１と硫化して連接する過程において、装飾片２と本体１に同時に原料を使用することで原料が流出し、装飾図案の質感が劣ることを回避するため、本体１と硫化連接する前に、先ず装飾片２を一次硫化する。
【００１６】
装飾片２は、二次硫化により、本体１の凹槽３中に嵌め込まれて連接され、しかも、装飾片２の辺縁と凹槽３の周辺とは、均一な溝４を形成する。グリップ本体１の太い部分と細い部分の内径は同一であるため、ゴルフクラブのグリップのフレキシビリティを向上させ、しかも、より丈夫にするため、本実施例の装飾片２を収容する凹槽３は、グリップ本体１の太い部分上に設置する。本体１の加工成型の便のため、本実施例の本体１は、先端片材１１と２組の管型片材１２により組成する。加工時には、装飾片２と先端片材１１、管型片材１２とを、図３或いは図４に示すように、外金型５と芯棒６に通して、二次硫化し一体に結合する。
【００１７】
図３或いは図４に示すように、立体装飾図案を備えたゴルフクラブのグリップを成型する金型は、外金型５と芯棒６により組成する。加工成型の便のため、外金型５は、上金型５ａと下金型５ｂにより組成する。外金型５の上金型５ａ(或いは下金型５ｂ) 内表面には、封鎖リブ５１を設置する。封鎖リブ５１の位置は、本体１外表面の装飾片２を固定する部位に対応し、リブ５１が封鎖する区域内が収容設置槽５２である。
【００１８】
収容設置槽５２の大きさと形状は、装飾片２と相互に対応する。本実施例ではさらに、収容設置槽５２の深さを、装飾片２の厚みと相同とすることができる。これにより、装飾片２が収容設置槽５２に収容された後、装飾片２、リブ５１が封鎖する区域外の外金型５内表面と芯棒６との間には、本体１のキャビティ５３が構成される。封鎖リブ５１の作用により、装飾片２の定位は利便となり、硫化時の装飾片２の位置偏移を回避することができ、さらに、二次硫化成型の原料が流出し、図案の明晰さを低下させることを防止することができる。また同時に、装飾片２の辺縁には、均一な溝４を形成する。
【００１９】
図３に示す金型を使用し、図１に示すゴルフクラブグリップを成型する時には、図５に示すように、先ず、装飾片２を一次加硫により成型する。次に、装飾片２を、外金型５封鎖リブ５１が形成する収容設置槽５２中に入れる。外金型５の他の部分は、芯棒６と対応し、グリップ本体１のキャビティ５３となる。さらに、順番に先端片材１１と管型片材１２を入れ、二次硫化を行う。これにより、装飾片２は、本体１の外表面に固定され、しかも、装飾片２の辺縁と凹槽３の周辺には、均一な溝４を形成し、ゴルフクラブのグリップを完成することができる。
【００２０】
上記の本考案名称と内容は、本考案技術内容の説明に用いたのみで、本考案を限定するものではない。本考案の精神に基づく等価応用或いは部品（構造）の転換、置換、数量の増減はすべて、本考案の保護範囲に含むものとする。
【産業上の利用可能性】
【００２１】
本考案は実用新案の要件である新規性を備え、従来の同類製品に比べ十分な進歩を有し、実用性が高く、社会のニーズに合致しており、産業上の利用価値は非常に大きい。
【符号の説明】
【００２２】
１        本体
１１      先端片材
１２      管型片材
２        装飾片
３        凹槽
４        溝
５        外金型
５ａ      上金型
５ｂ      下金型
５１      封鎖リブ
５２      収容設置槽
５３      キャビティ
６        芯棒
【図１】
0003155820.tif 000003
【図２】
0003155820.tif 000004
【図３】
0003155820.tif 000005
【図４】
0003155820.tif 000006
【図５】
0003155820.tif 000007